(57)【要約】本発明は、冷蔵冷凍装置を提供する。当該冷蔵冷凍装置は、収納空間、圧縮機室、ガス調整膜ユニット、及び圧縮機室内に配置される吸気ポンプを備える。前記冷蔵冷凍装置は、鮮度保持効果が良いだけでなく、圧縮機室空間を十分に利用可能であり、収納空間を占用しない。【選択図】図２
2019536974.tif 000002
【特許請求の範囲】
【請求項１】
筐体と、ガス調整膜ユニットと、吸気ポンプとを備え、
前記筐体内には、収納空間と圧縮機室とが規定され、前記収納空間内には、収納容器が配置され、前記収納容器内は、ガス調整鮮度保持空間を有し、
前記ガス調整膜ユニットは、少なくとも１つのガス調整膜と、１つの酸素富化ガス収集室とを備え、その周囲空間が前記ガス調整鮮度保持空間に連通し、前記ガス調整膜ユニットは、前記ガス調整膜ユニットの周囲空間の気流における酸素ガスが前記ガス調整膜ユニットの周囲空間の気流における窒素ガスよりも前記ガス調整膜を多く透過して前記酸素富化ガス収集室に進入するように構成され、
前記吸気ポンプは、前記圧縮機室内に配置され、前記吸気ポンプの入口端が管路を介して前記ガス調整膜ユニットの前記酸素富化ガス収集室に連通することにより、前記酸素富化ガス収集室内に透入したガスを前記収納容器外へ引き抜くことを特徴とする冷蔵冷凍装置。
【請求項２】
前記収納容器は、引き出しユニットであり、引き出し筒体と、引き出し本体とを備え、
前記引き出し筒体は、前向き開口を有し、前記収納空間内に配置され、
前記引き出し本体は、前記引き出し筒体内にスライド可能に取り付けられることにより、前記引き出し筒体の前向き開口から、操作可能に外方へ抽出されたり、内方へ前記引き出し筒体に挿入されたりすることを特徴とする請求項１に記載の冷蔵冷凍装置。
【請求項３】
前記引き出し筒体には、前記収納空間と前記ガス調整鮮度保持空間とを連通させる複数の気圧バランス孔が設けられていることを特徴とする請求項２に記載の冷蔵冷凍装置。
【請求項４】
前記引き出し筒体の天壁内には、前記ガス調整鮮度保持空間に連通する収容室が配置されて前記ガス調整膜ユニットを収容することを特徴とする請求項２に記載の冷蔵冷凍装置。
【請求項５】
前記引き出し筒体の天壁の前記収容室と前記ガス調整鮮度保持空間との間の壁面には、少なくとも１つの第１通気孔と、少なくとも１つの前記第１通気孔に間隔をおいた少なくとも１つの第２通気孔とが設けられることにより、それぞれ異なる位置において前記収容室と前記ガス調整鮮度保持空間とを連通させ、
前記冷蔵冷凍装置は、ファンを更に備え、前記ファンは、前記収容室内に配置され、前記ガス調整鮮度保持空間のガスが順次前記少なくとも１つの第１通気孔、前記収容室および前記少なくとも１つの第２通気孔を経由して前記ガス調整鮮度保持空間に戻ることを促進することを特徴とする請求項４に記載の冷蔵冷凍装置。
【請求項６】
前記圧縮機室は、前記筐体の横方向に沿って延在し、前記吸気ポンプは、前記圧縮機室の横方向の一方端に配置されていることを特徴とする請求項１に記載の冷蔵冷凍装置。
【請求項７】
前記冷蔵冷凍装置は、
複数の制振パッドを介して前記圧縮機室の底面に取り付けられた取付底板と、
前記取付底板に取り付けられたシールボックスと、を更に備え、
前記吸気ポンプは、前記シールボックス内に取り付けられていることを特徴とする請求項６に記載の冷蔵冷凍装置。
【請求項８】
前記収納空間は、冷蔵空間であり、
前記筐体には、冷凍空間と変温空間とが更に規定され、前記冷凍空間は、前記収納空間の下方に設けられ、前記変温空間は、前記冷凍空間と前記冷蔵空間の間に設けられ、
前記圧縮機室は、前記冷凍空間の後下方に設けられていることを特徴とする請求項６に記載の冷蔵冷凍装置。
【請求項９】
前記管路は、前記収納空間の後方に配置された垂直セグメントを備えることを特徴とする請求項８に記載の冷蔵冷凍装置。
【請求項１０】
前記ガス調整膜ユニットは、支持フレームを更に備え、前記支持フレームは、互いに平行となる第１表面と第２表面とを有し、前記支持フレームには、前記第１表面に延在する気流通路、前記第２表面に延在する気流通路、および前記支持フレームを貫通して前記第１表面と第２表面とを連通させる気流通路という複数の気流通路がそれぞれ形成され、前記複数の気流通路は、共同して前記酸素富化ガス収集室を形成し、
前記少なくとも１つのガス調整膜は、２つの平面型ガス調整膜であり、前記支持フレームの第１表面と第２表面とにそれぞれ敷設されていることを特徴とする請求項１に記載の冷蔵冷凍装置。
【発明の詳細な説明】
【技術分野】
【０００１】
本願は、出願日が２０１６年１２月０２日であり、出願番号が２０１６１１０９７６８０．９であり、発明名称が「冷蔵冷凍装置」である中国特許出願の優先権を主張し、当該出願の全文が引用により本願に組み込まれる。
【０００２】
本発明は、冷蔵庫収納技術分野に関し、特に冷蔵冷凍装置に関する。
【背景技術】
【０００３】
冷蔵庫は、一定の低温を保持する冷却機器でありながら、食品や他の物品を一定低温冷間に保持する民生品でもある。生活品質の向上とともに、消費者は、食品の貯蔵に対する鮮度保持の要求がますます高まり、特に食品の色味、食感等に対する要求もますます高まってきている。したがって、貯蔵の食品は、貯蔵期間において食品の色味、食感、新鮮度等ができるだけ変化しないことを保証すべきである。現在、市場には、食品をより良く貯蔵する手段として、真空鮮度保持のみがある。よく用いられる真空鮮度保持方式は、真空バッグによる鮮度保持および真空収納コンパートメントによる鮮度保持である。
【０００４】
真空バッグによる鮮度保持を採用すると、消費者は、食品を貯蔵する度に真空引き動作を行なう必要があり、操作が煩雑であり、なかなか消費者の愛顧を受けられない。
【０００５】
真空収納コンパートメントによる鮮度保持を採用すると、筐体等が剛性構造であるため、真空状態を保持するには、真空引きシステムに対する要求が非常に高く、冷蔵庫の密封性能に対する要求も非常に高い。物品を１つ投入する度に、新たな空気が多く入って、エネルギー消費が大きい。しかも、真空環境において、食品が冷却能力を受け難くて、食品の貯蔵に特に不利である。また、真空環境であるため、ユーザは、冷蔵庫の扉を毎回開くなどために、大きな力を入れなければならず、ユーザの使用に不便を引き起こす。真空引きシステムを介して真空収納コンパートメントへガスを注ぐ冷蔵庫もあるが、ユーザの待機時間が長くて、時間効率が悪い。真空時間が長い場合、冷蔵庫の筐体等がひどく変形する恐れもある。即ち、従来の真空引き構造を有する冷蔵庫は、真空鮮度保持をうまく実施できず、筐体等の強度が大きく要求され、実施要求が高く、コストも高い。
【０００６】
また、発明者は、下記のことを見出した。ガス調整鮮度保持のための従来の窒素製造機器の体積が膨大であり、コストが高価であるため、当該技術は、基本的に各種の大型の専門貯蔵庫(貯蔵容量が一般的に少なくとも３０トン以上)への使用に限られている。何らかの適切なガス調整技術および対応する装置を用いて経済的にガス調整システムを小型化及び静音化して、家庭や個人ユーザに適したものとすることは、ガス調整鮮度保持分野の技術者が解決しようとするが未だに解決できていない技術的難関と言える。
【発明の概要】
【発明が解決しようとする課題】
【０００７】
本発明の１つの目的は、従来の冷蔵庫の少なくとも１つの欠陥を克服する冷蔵冷凍装置を提供することにある。それは、ガス調整鮮度保持空間内の空気における酸素ガスを当該空間から排出することにより、当該空間内を窒素富化酸素欠損状態として食品鮮度保持に有利な雰囲気にさせることを創造的に提出した。当該雰囲気は、果物・野菜保存空間内における酸素ガスの含有量を低減し、果物・野菜の酸素呼吸の強度を低下させつつ、基礎的な呼吸作用を保証して果物・野菜の無酸素呼吸を防止することにより、果物・野菜の長期間に渡る鮮度保持の目的を果たす。
【０００８】
本発明の更なる目的は、冷蔵冷凍装置の圧縮機室空間および収納空間を十分に利用することにより、冷蔵冷凍装置の構造をコンパクトにし、エネルギー効率を高くする。
【課題を解決するための手段】
【０００９】
上記少なくとも１つの目的を果たすべく、本発明は、冷蔵冷凍装置を提供する。当該冷蔵冷凍装置は、筐体と、ガス調整膜ユニットと、吸気ポンプとを備え、筐体内には、収納空間と圧縮機室とが規定され、収納空間内には、収納容器が配置され、収納容器内は、ガス調整鮮度保持空間を有し、ガス調整膜ユニットは、少なくとも１つのガス調整膜と、１つの酸素富化ガス収集室とを備え、その周囲空間がガス調整鮮度保持空間に連通し、ガス調整膜ユニットは、ガス調整膜ユニットの周囲空間の気流における酸素ガスがガス調整膜ユニットの周囲空間の気流における窒素ガスよりもガス調整膜を多く透過して酸素富化ガス収集室に進入するように構成され、吸気ポンプは、圧縮機室内に配置され、吸気ポンプの入口端が管路を介してガス調整膜ユニットの酸素富化ガス収集室に連通することにより、酸素富化ガス収集室内に透入したガスを収納容器外へ引き抜く。
【００１０】
好ましくは、収納容器は、引き出しユニットであり、引き出し筒体と、引き出し本体とを備え、引き出し筒体は、前向き開口を有し、収納空間内に配置され、
【００１１】
引き出し本体は、引き出し筒体内にスライド可能に取り付けられることにより、引き出し筒体の前向き開口から、操作可能に外方へ抽出されたり、内方へ引き出し筒体に挿入されたりする。
【００１２】
好ましくは、引き出し筒体には、複数の気圧バランス孔が設けられ、収納空間とガス調整鮮度保持空間とは、複数の気圧バランス孔を介して連通している。
【００１３】
好ましくは、引き出し筒体の天壁内には、ガス調整鮮度保持空間に連通する収容室が設けられてガス調整膜ユニットを収容する。
【００１４】
好ましくは、引き出し筒体の天壁の収容室とガス調整鮮度保持空間との間の壁面には、少なくとも１つの第１通気孔と、少なくとも１つの第１通気孔に間隔をおいた少なくとも１つの第２通気孔とが設けられることにより、それぞれ異なる位置において収容室とガス調整鮮度保持空間とを連通させ、冷蔵冷凍装置は、ファンを更に備え、ファンは、収容室内に配置され、ガス調整鮮度保持空間のガスが順次少なくとも１つの第１通気孔、収容室および少なくとも１つの第２通気孔を経由してガス調整鮮度保持空間に戻ることを促進する。
【００１５】
好ましくは、圧縮機室は、筐体の横方向に沿って延在し、吸気ポンプは、圧縮機室の一方端に配置されている。
【００１６】
好ましくは、収納空間は、冷蔵空間であり、筐体には、冷凍空間と変温空間とが更に規定され、冷凍空間は、収納空間の下方に設けられ、変温空間は、冷凍空間と冷蔵空間の間に設けられ、圧縮機室は、冷凍空間の後下方に設けられている。
【００１７】
好ましくは、管路は、収納空間の後方に配置される垂直セグメントを備える。
【００１８】
好ましくは、冷蔵冷凍装置は、複数の制振パッドを介して圧縮機室の底面に取り付けられた取付底板と、取付底板に取り付けられたシールボックスと、を更に備え、吸気ポンプは、シールボックス内に取り付けられている。
【００１９】
好ましくは、ガス調整膜ユニットは、支持フレームを更に備え、支持フレームは、互いに平行となる第１表面と第２表面とを有し、支持フレームには、第１表面に延在する気流通路、第２表面に延在する気流通路、および支持フレームを貫通して第１表面と第２表面とを連通させる気流通路という複数の気流通路がそれぞれ形成され、複数の気流通路は、共同して酸素富化ガス収集室を形成し、少なくとも１つのガス調整膜は、２つの平面型ガス調整膜であり、支持フレームの第１表面と第２表面とにそれぞれ敷設されている。
【発明の効果】
【００２０】
本発明の冷蔵冷凍装置がガス調整膜ユニットおよび吸気ポンプを備え、吸気ポンプにより、ガス調整膜の一方側の圧力が他方側の圧力より小さくなるため、ガス調整鮮度保持空間内を窒素富化酸素欠損状態として食品鮮度保持に有利な雰囲気にさせることが可能である。当該雰囲気は、果物・野菜保存空間内の酸素ガスの含有量を低減し、果物・野菜の酸素呼吸の強度を低減しつつ、基礎的な呼吸作用を保証して果物・野菜の無酸素呼吸を防止することにより、果物・野菜の長期間に渡る鮮度保持の目的を果す。
【００２１】
さらに、本発明の冷蔵冷凍装置における吸気ポンプが圧縮機室内に配置されるため、圧縮機室空間を十分に利用可能であり、他の箇所を別途占用せず、特に収納空間を占用しないため、冷蔵冷凍装置の余分な体積が増大されず、冷蔵冷凍装置の構造は、コンパクトにできる。
【００２２】
さらに、本発明の冷蔵冷凍装置は、鮮度保持効果が良いだけでなく、収納容器等の剛性や強度に対する要求も低く、実現要求が非常に低く、コストも非常に低い。そして、本発明の冷蔵冷凍装置は、ガス調整鮮度保持分野の技術者がずっと解決しようとするが未だに解決できていない上記技術的難関を解決した。本発明の冷蔵冷凍装置は、体積が小さく、ノイズも低いため、特に家庭と個人に向いている。
【００２３】
さらに、本発明の冷蔵冷凍装置は、好ましくは、家庭用冷蔵庫、例えば、家庭用圧縮式直冷冷蔵庫、家庭用圧縮式空冷冷蔵庫である。
【００２４】
図面に合わせて後述する本発明の具体的な実施例の詳細な記述によれば、本発明の上記および他の目的、メリットと特徴は、当業者により良好に理解される。
【図面の簡単な説明】
【００２５】
後文は、図面を参照しながら制限的ではなく例示的に本発明の幾つかの具体的な実施例を詳細に記述する。図面における同じ符号は、同じまたは類似する部品や部分を示す。当業者であれば分かるように、これらの図面が必ずしも割合に準じて描かれるものとは限らない。図面において、
【００２６】
【図１】本発明の一実施例に係る冷蔵冷凍装置の模式的な局所構造図である。
【図２】図１に示す構造の別の視角での模式的な構造図である。
【図３】本発明の一実施例に係る冷蔵冷凍装置における吸気ポンプユニットの模式的な分解図である。
【図４】本発明の一実施例に係る冷蔵冷凍装置の模式的な局所構造図である。
【図５】図４に示す構造の模式的な分解図である。
【図６】本発明の一実施例に係る冷蔵冷凍装置におけるガス調整膜ユニットの分解図である。
【発明を実施するための形態】
【００２７】
図１は、本発明の一実施例に係る冷蔵冷凍装置の模式的な構造図である。図２は、図１に示す構造の別の視角での模式的な構造図である。図１と図２に示すように、本発明の実施例は、冷蔵冷凍装置を提供する。当該冷蔵冷凍装置は、筐体２０、主扉、ガス調整膜ユニット３０、吸気ポンプ４１と冷却システムを備えてもよい。
【００２８】
筐体２０内には、収納空間２１１および圧縮機室２４が規定されている。例えば、筐体２０は、内箱２１を備えてもよく、内箱２１内には、収納空間２１１が区画されている。主扉は、２つの観音開き扉によって構成され、何れも筐体２０に回動可能に配置されてもよく、筐体２０で規定される収納空間２１１を開放または閉鎖するように構成される。好ましくは、主扉は、１つのドアであってもよい。さらに、収納空間２１１内には、収納容器が配置され、収納容器内は、ガス調整鮮度保持空間を有する。ガス調整鮮度保持空間は、密閉型空間または略密閉型空間であってもよい。好ましくは、収納容器は、引き出しユニットである。収納容器は、引き出し筒体２２および引き出し本体２３を備えてもよい。引き出し筒体２２は、前向き開口を有してもよく、且つ収納空間２１１内に配置され、具体的に収納空間２１１の下部に配置されてもよい。当業者であれば意識できるように、引き出し筒体２２は、収納空間２１１の中部または上部に配置されてもよい。引き出し本体２３は、引き出し筒体２２内にスライド可能に配置されることにより、引き出し筒体２２の前向き開口から操作可能に外方へ抽出したり、内方へ引き出し筒体２２を挿入したりする。引き出し本体２３は、引き出し端蓋を備えてもよい。引き出し端蓋は、引き出し筒体２２の開口に係合することにより、ガス調整鮮度保持空間の密閉を行ってもよい。幾つかの代替実施例では、収納容器は、筒体と、筒体を開放または閉鎖するように構成される小扉とを備えてもよい。
【００２９】
冷却システムは、圧縮機、凝縮器、絞り装置および蒸発器等によって構成される冷却循環システムであってもよい。圧縮機は、圧縮機室２４内に取り付けられている。蒸発器は、直接または間接に収納空間２１１内へ冷気を供給するように配置される。例えば、当該冷蔵冷凍装置が家庭用圧縮式直冷冷蔵庫であるとき、蒸発器は、内箱２１の後壁面の外側まはた内側に配置されてもよい。当該冷蔵冷凍装置が家庭用圧縮式空冷冷蔵庫であるとき、筐体２０内には、蒸発器室が更に配置され、蒸発器室が風路システムを介して収納空間２１１に連通し、且つ蒸発器室内に蒸発器が配置され、出口にファンが配置されることにより、収納空間２１１に対して循環冷却を行う。
【００３０】
ガス調整膜ユニット３０は、少なくとも１つのガス調整膜３１と１つの酸素富化ガス収集室を備え、その周囲空間がガス調整鮮度保持空間に連通する。当該ガス調整膜ユニット３０は、ガス調整膜ユニット３０の周囲空間の気流における酸素ガスがガス調整膜ユニット３０の周囲空間の気流における窒素ガスよりもガス調整膜３１を多く透過して酸素富化ガス収集室に進入するように構成されてもよい。具体的に、各ガス調整膜３１の内側表面は、酸素富化ガス収集室へ向かうことにより、酸素富化ガス収集室の圧力がガス調整膜ユニット３０の周囲空間の圧力より小さいときに、ガス調整膜ユニット３０の外部空間の空気における酸素ガスがその中の窒素ガスよりも少なくとも１つのガス調整膜３１を多く透過して酸素富化ガス収集室に進入する。
【００３１】
吸気ポンプ４１も圧縮機室２４内に配置され、吸気ポンプ４１の入口端が管路５０を介してガス調整膜ユニット３０の酸素富化ガス収集室に連通することにより、酸素富化ガス収集室内に透入したガスを収納容器外へ引き抜く。
【００３２】
当該実施例では、吸気ポンプ４１が外方へガスを抽出することにより、酸素富化ガス収集室の圧力をガス調整膜ユニット３０の周囲空間の圧力より小さくでき、さらに、ガス調整膜ユニット３０の周囲空間内の酸素ガスを酸素富化ガス収集室に進入させることも可能である。ガス調整鮮度保持空間がガス調整膜ユニット３０の周囲空間に連通するため、ガス調整鮮度保持空間内の空気がガス調整膜ユニット３０の周囲空間に進入する。よって、ガス調整鮮度保持空間内の空気中の酸素ガスを酸素富化ガス収集室に進入させることで、ガス調整鮮度保持空間内を窒素富化酸素欠損状態として食物鮮度保持に有利な雰囲気にさせる。
【００３３】
本発明の冷蔵冷凍装置は、ガス調整鮮度保持空間内を窒素富化酸素欠損状態として食品鮮度保持に有利な雰囲気にさせることが可能である。当該雰囲気は、果物・野菜保存空間内の酸素ガスの含有量を低減し、果物・野菜の酸素呼吸の強度を低減しつつ、基礎的な呼吸作用を保証して果物・野菜の無酸素呼吸を防止することにより、果物・野菜の長期間に渡る鮮度保持の目的を果す。また、当該雰囲気は、大量の窒素ガス等の気体を有するため、ガス調整鮮度保持空間内の物品の冷却受け効率を低減せず、果物・野菜の有効な収納を可能にする。吸気ポンプ４１が圧縮機室２４内に配置されるため、圧縮機室２４の空間を十分に利用可能であり、他の箇所を別途占用しないため、冷蔵冷凍装置の余分な体積が増大されず、冷蔵冷凍装置の構造は、コンパクトにできる。そして、筐体２０等の剛性や強度に対する要求も低く、実現要求が非常に低く、コストも非常に低い。本発明の冷蔵冷凍装置は、ガス調整鮮度保持分野の技術者がずっと解決しようとするが未だに解決できていない上記技術的難関を解決した。本発明の冷蔵冷凍装置は、体積が小さく、ノイズも低いため、特に家庭と個人に向いている。
【００３４】
本発明の幾つかの実施例では、引き出し筒体２２には、複数のマイクロポアが設けられてもよく、収納空間２１１とガス調整鮮度保持空間とは、複数のマイクロポアを介して連通される。マイクロポアは、気圧バランス孔とも呼ばれ、各マイクロポアは、ミリメートルオーダーのマイクロポアであってもよい。例えば、各マイクロポアの直径は、０．１ｍｍ〜３ｍｍであり、１ｍｍ、１．５ｍｍ等であることが好ましい。複数のマイクロポアを設けると、ガス調整鮮度保持空間内の圧力は、低すぎなくなる。複数のマイクロポアを設けることによってでも、ガス調整鮮度保持空間内の窒素ガスが大きな収納空間２１１へ流れることはない。たとえ流れても、微小であり、引いては無視でき、ガス調整鮮度保持空間内での食品の保存に影響しない。本発明の幾つかの好適な実施例では、引き出し筒体２２には、マイクロポアが設けられなくてもよい。それにしても、ガス調整鮮度保持空間内には、大量の窒素ガス等のガスがまだ存在する。ユーザは、引き出し本体２３を開く際、そんなに苦労しなくてもよく、従来の真空収納室より、大きく省力化される。
【００３５】
本発明の幾つかの実施例では、収納空間２１１は、冷蔵空間であり、その貯蔵温度が一般的に２℃〜１０℃であり、３℃〜８℃であることが好ましい。さらに、筐体２０には、冷凍空間２５と変温空間２６が更に規定されてもよく、冷凍空間２５は、収納空間２１１の下方に設けられ、変温空間２６は、冷凍空間２５と冷蔵空間の間に設けられている。冷凍空間２５内の温度範囲は、一般的に−１４℃〜−２２℃である。変温空間２６は、適切な食品を貯蔵するように、需要に応じて調整可能である。圧縮機室２４は、好ましくは、冷凍空間２５の後下方に設けられている。本発明の幾つかの代替実施例では、収納空間２１１も冷凍空間または変温空間であってもよい。つまり、収納空間２１１の温度範囲は、−１４℃〜−２２℃に制御されてもよく、または、需要に応じて調整されてもよい。さらに、冷蔵空間と冷凍空間と変温空間との相対位置は、実際の需要に応じて調整可能である。
【００３６】
本発明の幾つかの実施例では、圧縮機室２４は、筐体２０の横方向に沿って延在し、吸気ポンプ４１は、圧縮機室２４の横方向の一方端に配置されている。圧縮機は、圧縮機室２４の横方向の他方端に配置されてもよい。これにより、吸気ポンプ４１と圧縮機との距離が遠くて、ノイズ重畳と廃熱重畳が減少される。例えば、吸気ポンプ４１は、圧縮機室２４の主扉回動側に近接する端に配置されてもよい。冷蔵冷凍装置が観音開き型冷蔵庫であるとき、吸気ポンプ４１は、圧縮機室２４の何れか一端に配置されてもよい。本発明の別の実施例では、吸気ポンプ４１は、圧縮機に近接するように配置され、吸気ポンプ４１は、圧縮機室２４の一方端に配置され、且つ圧縮機と圧縮機室２４の側壁との間に位置する。
【００３７】
図３は、本発明の一実施例に係る冷蔵冷凍装置における吸気ポンプユニットの模式的な分解図である。図３に示すように、本発明の幾つかの実施例では、冷蔵冷凍装置は、取付底板４２とシールボックス４３を更に備えてもよい。取付底板４２は、複数の制振パッド４４を介して圧縮機室２４の底面に取り付けられてもよい。シールボックス４３は、取付底板４２に取り付けられている。吸気ポンプ４１は、シールボックス４３内に取り付けられている。つまり、吸気ポンプ４１は、１つのシールボックス４３の内部に取り付けられてもよく、シールボックス４３は、取付底板４２を介して圧縮機室２４内に取り付けられてもよい。シールボックス４３、取付底板４２と吸気ポンプ４１は、吸気ポンプユニット４０とも呼ばれてもよい。吸気ポンプ４１の運転時、シールボックス４３は、ノイズ及び／又は廃熱の外方への伝搬を大きく遮断することができる。さらに、制振・ノイズ低減効果が向上するように、取付底板４２には、複数の制振パッド４４(ゴム材質であってもよい)が配置されてもよい。制振パッド４４の数は、４つであることが好ましく、４つの制振パッド４４は、取付底板４２の４隅に設けられたパッド取り付け穴内に実装される。
【００３８】
本発明の幾つかの実施例では、シールボックス４３の内部には、１つの取付フレームが配置され、取付フレームとシールボックス４３の内壁とは、複数の制振パッドを介して接続され、吸気ポンプ４１は、取付フレームの内部に固定されている。このようにして、吸気ポンプ４１の運転時における振動およびノイズを低減する。具体的に、取付フレームの底部には、２つの制振パッドが配置され、制振パッドは、シールボックス４３の底面の位置決め柱に外装されている。取付フレームの一方の対向する両側には、１つずつの円形の制振パッドが配置され、当該制振パッドは、シールボックス４３の該当する側壁の係合溝内に係止される。取付フレームの他方の対向する両側には、１つずつの制振パッドが固定される。吸気ポンプ４１は、シールボックス４３内の各制振パッドの間に位置し、ネジを介して取付フレームに締め付けられてもよい。
【００３９】
本発明の幾つかの実施例では、図４と図５に示すように、ガス調整膜ユニット３０は、引き出し筒体２２の筒体壁に配置されてもよい。ガス調整膜ユニット３０は、平板型であり、好ましくは、引き出し筒体２２の天壁に平行となるように配置されている。具体的に、引き出し筒体２２の天壁内には、収容室２２１が設けられてガス調整膜ユニット３０を収容する。例えば、引き出し筒体２２の天壁の収容室とガス調整鮮度保持空間との間の壁面には、少なくとも１つの第１通気孔２２２および第２通気孔２２３が設けられている。少なくとも１つの第１通気孔２２２は、少なくとも１つの第２通気孔２２３と間隔をおいて設けられることにより、それぞれ異なる位置において収容室とガス調整鮮度保持空間とを連通させる。第１通気孔２２２と第２通気孔２２３は、何れも小孔であり、数が何れも複数である。幾つかの代替実施例では、引き出し筒体２２の天壁内側は、凹溝を有する。ガス調整膜ユニット３０は、引き出し筒体２２の天壁の凹溝内に配置されている。
【００４０】
管路５０は、上から下へ延在する垂直セグメントを備えてもよい。垂直セグメントは、収納空間２１１の後方に配置され、且つ垂直セグメントの下端が吸気ポンプ４１の入口に連通し、垂直セグメントの上方がガス調整膜ユニット３０の酸素富化ガス収集室に連通する。垂直セグメントは、筐体２０におけるサイドケースとバックプレートとに近接するように配置されてもよく、垂直セグメントには、保温ジャケットまたは保温管が外装されてもよい。これにより、垂直セグメント内の酸素ガスにおける冷却量がサイドケースとバックプレートとに伝達されることは、回避可能であり、結露の発生も防止できる。
【００４１】
本発明の幾つかの実施例では、ガス調整鮮度保持空間と収容室２２１内のガス流動を促進するために、冷蔵冷凍装置は、ファン６０を更に備えてもよい。ファン６０は、収容室内に配置されてもよく、ガス調整鮮度保持空間のガスが第１通気孔２２２を経由して収容室２２１に進入することを促進し、且つ収容室２２１内のガスが第２通気孔２２３を経由してガス調整鮮度保持空間に進入することを促進するように構成される。つまり、ファン６０は、ガス調整鮮度保持空間のガスが順次少なくとも１つの第１通気孔２２２、収容室及び少なくとも１つの第２通気孔２２３を経由してガス調整鮮度保持空間に戻ることを促進可能である。
【００４２】
ファン６０は、遠心ファンであることが好ましく、収容室２２１内の第１通気孔２２２に配置されている。つまり、遠心ファンは、少なくとも１つの第１通気孔２２２の上方に位置し、且つ回転軸線が鉛直下方へ向かい、吸気口が第１通気孔２２２に正対する。遠心ファンの排気口は、ガス調整膜ユニット３０へ向かってもよい。ガス調整膜ユニット３０は、少なくとも１つの第２通気孔２２３の上方に配置され、ガス調整膜ユニット３０の各ガス調整膜が引き出し筒体２２の天壁に平行となるようにする。少なくとも１つの第１通気孔２２２は、天壁前部に設けられ、少なくとも１つの第２通気孔２２３は、天壁後部に設けられている。即ち、遠心ファン６０は、収容室２２１の前部に配置され、ガス調整膜ユニット３０は、収容室２２１の後部に配置されている。さらに、引き出し筒体２２の天壁は、主板部２２４および蓋板部２２５を備え、主板部２２４の一部の領域には凹部が形成され、蓋板部２２５は、凹部を取り外し可能に覆うことにより、上記収容室２２１を形成する。引き出し筒体２２の製造が便利になるように、主板部２２４は、引き出し筒体２２の側壁、底壁および後壁と一体成形されてもよい。
【００４３】
本発明の幾つかの実施例では、図６に示すように、ガス調整膜ユニット３０は、平板型であってもよく、当該ガス調整膜ユニット３０は、支持フレーム３２を更に備えてもよい。ガス調整膜３１は、酸素富化膜であることが好ましく、２つあってもよく、支持フレーム３２の両側に取り付けられることにより、２つのガス調整膜３１と支持フレーム３２とが共同して酸素富化ガス収集室を取り囲む。さらに、支持フレーム３２は、ベゼル、ベゼル内に配置されるリブ板及び／又は平板等の構造を備えてもよい。リブ板の間、リブ板と平板の間等には、気流通路が形成されてもよく、リブ板の表面と平板の表面の何れにも、気流通路を形成するように、凹溝が設けられてもよい。リブ板及び／又は平板は、ガス調整膜ユニット３０の構造強度等を向上可能である。つまり、支持フレーム３２は、互いに平行となる第１表面と第２表面を有し、且つ支持フレーム３２には、第１表面に延在する気流通路、第２表面に延在する気流通路、および支持フレーム３２を貫通して第１表面と第２表面とを連通させる気流通路という複数の気流通路がそれぞれ形成され、複数の気流通路は、共同して酸素富化ガス収集室を形成する。少なくとも１つのガス調整膜３１は、２つの平面型ガス調整膜であり、それぞれ支持フレーム３２の第１表面と第２表面とに敷設されている。
【００４４】
本発明の幾つかの実施例では、支持フレーム３２は、上記少なくとも１つの気流通路に連通するガス抜き孔３３を備え、ガス抜き孔３３は、ベゼルに設けられて酸素富化ガス収集室における酸素ガスの出力を許容する。ガス抜き孔３３は、吸気ポンプ４１に連通する。ガス抜き孔３３は、ガス調整膜ユニット３０の設置方位または実際の設計需要に応じて特定可能であるように、ベゼルの長辺の縁に設けられてもよく、ベゼルの短辺の縁に設けられてもよい。例えば、図４と図５に示す実施例では、ガス抜き孔３３は、ベゼルの長辺の縁に設けられてもよい。ガス調整膜３１は、両面テープ３４を介してベゼルに取り付けられてから、シーラ３５を介して密封される。
【００４５】
幾つかの実施例では、支持フレーム３２は、ベゼル、複数の第１リブ板および複数の第２リブ板を備えてもよい。上記複数の第１リブ板は、ベゼル内部で縦方向に間隔をおいて配置され且つ横方向に延在し、上記複数の第１リブ板の一方側の表面が第１表面を形成する。複数の第２リブ板は、上記複数の第１リブ板の他方側の表面で横方向に間隔をおいて配置され且つ縦方向に沿って延在し、上記複数の第２リブ板の第１リブ板から離隔する側の表面が第２表面を形成する。本発明の支持フレーム３２は、そのベゼル内に、縦方向に間隔をおいて且つ横方向に沿って延在する複数の第１リブ板と、上記複数の第１リブ板の一方側の表面に横方向に間隔をおいて且つ縦方向に沿って延在する複数の第２リブ板とを設けることにより、気流通路の一貫性を保証する一方、支持フレーム３２の体積を大きく縮小し、支持フレーム３２の強度を極めて大きく向上させる。また、支持フレーム３２の上記構造は、ガス調整膜３１が十分な支持を得ることを保証し、酸素富化ガス収集室の内部負圧が大きい場合にも良好な平坦度を常に保ち、ガス調整膜ユニット３０の使用寿命を保証する。
【００４６】
更なる実施例では、上記複数の第１リブ板は、複数の第１狭リブ板と複数の第１広リブ板を備えてもよい。その中、複数の第１広リブ板は、間隔をおいて配置され、隣り合う２つの第１広リブ板の間には、複数の第１狭リブ板が配置されている。上記複数の第２リブ板は、複数の第２狭リブ板および複数の第２広リブ板を含んでもよく、複数の第２広リブ板は、間隔をおいて配置され、隣り合う２つの第２広リブ板の間には、複数の第２狭リブ板が配置されている。当業者であれば理解やすいように、ここでの「広」と「狭」は、相対的に言う概念である。
【００４７】
幾つかの実施例では、各第１広リブ板は、第１表面を形成する一方側表面から内方へ窪んで第１トレンチを形成し、各第２広リブ板は、第２表面を形成する一方側表面から内方へ窪んで第２トレンチを形成する。これにより、支持フレーム３２の厚みが非常に小さい(または、体積が非常に小さい)ことを保証した前提で、その内部グリッド構造の連通性が向上する。
【００４８】
更なる実施例では、各第１広リブ板の第１表面から離反する一部の表面が第２リブ板へ向かって第２表面に揃うまで延在し、且つ第２表面に揃う当該一部の表面から内方へ窪んで第３トレンチを形成する。第３トレンチと第２トレンチとが交差する箇所は、連通されて十字トレンチを形成する。上記複数の第２広リブ板のうち、少なくとも１つの第２広リブ板の第２表面から離反する一部の表面は、第１リブ板へ向かって第１表面に揃うまで延在し、第１表面に揃う当該一部の表面は、内方へ窪んで第４トレンチを形成する。ただし、第４トレンチと第１トレンチとが交差する箇所は、連通されて十字トレンチを形成する。
【００４９】
本発明の幾つかの実施例では、気流の流動が便利になるように、蓋板部２２５の内面が下方へ延在して複数の導風リブ板を形成してもよい。こうして、ファン６０からの気流が収容室内でガス調整膜ユニット３０の各ガス調整膜３１の酸素富化ガス収集室から離反する外側表面を流れるように案内する。複数の導風リブ板は、２群に分けられてもよい。その２群の導風リブ板は、第１群の導風リブ板と、第１群の導風リブ板とは１つの平面について対称に配置された第２群の導風リブ板とを含む。各群の導風リブ板は、第１導風リブ板、少なくとも１つの第２導風リブ板および少なくとも１つの第３導風リブ板を含む。第１導風リブ板は、遠心ファンの排気口から収容室の一方側へ延在し、且つガス調整膜ユニット３０の１つの横方向外側まで延在する。第２導風リブ板のそれぞれは、２つの第１導風リブ板の間に配置され、且つガス調整膜ユニット３０と遠心ファンの間に位置する。第３導風リブ板のそれぞれがガス調整膜ユニット３０の１つの横方向外側に位置することにより、気流がガス調整膜ユニット３０の横方向両側からガス調整膜ユニット３０と収容室の底面或いは天面との間の隙間に進入するように気流を案内する。
【００５０】
本発明の幾つかの実施例では、引き出し本体２３と引き出し筒体２２の間には、ロック装置、ハンドルとハンドル位置決め装置が配置されている。ロック装置は、引き出し端蓋両側に配置される回動ロックキャッチと、引き出し筒体２２に設けられる２つの係合部と、係止促進装置とを備える。係合部のそれぞれは、突起であってもよい。係止促進装置は、２つの回動ロックキャッチがそれぞれに対応する係合部に係止される方向(即ち、各自の第１方向)へ向かって回動するように促進するために用いられてもよい。ハンドルは、水平に延在し、且つ鉛直方向に沿って引き出し端蓋にスライド可能に取り付けられてもよい。また、引き出し本体２３が閉じる状態であるときに、ハンドルの所在する位置は、ハンドルの初期位置であってもよい。ハンドルは、その初期位置に配置されるときに、その両端がそれぞれ２つの回動ロックキャッチに接触して当接することにより、各回動ロックキャッチがそれぞれに対応する第１方向とは反対する別の方向に沿って回動することを阻止する。これにより、前記回動ロックキャッチと前記係合部とが係合状態を保ち、前記引き出し本体２３を前記引き出し筒体２２にロッキングさせる。さらに、ハンドルが上方または下方へロック保持解除位置まで移動し、即ち、初期位置からロック保持解除位置まで移動した後、各回動ロックキャッチがそれぞれに対応する第１方向とは反対する別の方向に沿って回動することを許容することにより、外方へ引き出し本体２３を引き出すことを許容するときに、回動ロックキャッチは、回動して対応する係合部から離脱する。こうして、引き出し本体２３を開くことは、許容される。ハンドル位置決め装置は、ハンドルが各所定位置まで移動した後、ハンドルを当該位置に保持するように構成され、当該位置は、主に初期位置とロック保持解除位置である。引き出し本体を開く際、ユーザは、まずハンドルを上方或いは下方へロック保持解除位置まで移動させて、ハンドル位置決め装置によってハンドルを当該位置に維持させ、ユーザは、外方へ引き出し本体２３を引き出せる。引き出しを閉じる際、ユーザは、まず、引き出し本体２３を閉じ、その後ハンドルを下方或いは上方へ初期位置まで戻らせ、ハンドル位置決め装置によってハンドルを当該位置に維持させる。これにより、引き出し本体２３と引き出し筒体２２とは、ロック状態を保持する。
【００５１】
ハンドルの移動がより安定するように、ハンドルの両端には、それぞれガイドロッドおよび摺動ブロックが更に配置されている。ガイドロッドは、鉛直方向に沿って延在する。引き出し本体２３は、２群のスライドガイドを更に備え、各群のスライドガイドは、少なくとも３つの鉛直方向に沿って延在するスライドスロットを有することにより、ガイドロッドの両側のそれぞれが１つのスライドスロットを有し、摺動ブロックが他のスライドスロットに移動し、または、摺動ブロックの両側のそれぞれが１つのスライドスロットを有し、ガイドロッドが他のスライドスロットに移動する。例えば、各群のスライドガイドは、４つのスライドスロットを備えてもよく、ガイドロッドの前後両側は、それぞれ１つのスライドスロットを有し、摺動ブロックの横方向両側(即ち、左右両側)のそれぞれは、１つのスライドスロットを有する。
【００５２】
これまでに、当業者であれば分かるように、本発明の複数の例示的な実施例が本文に詳細に示されて記述されてきたが、本発明の要旨及び範囲を逸脱しない限り、本発明に開示された内容から本発明の原理に合致する大量の他の変形や改良を直接特定或いは推論することが可能である。したがって、本発明の範囲がこれらの他の変形や改良を全てカバーするとは、理解及び認定されるべきである。
【図１】
2019536974.tif 000003
【図２】
2019536974.tif 000004
【図３】
2019536974.tif 000005
【図４】
2019536974.tif 000006
【図５】
2019536974.tif 000007
【図６】
2019536974.tif 000008
【国際調査報告】
2019536974.tif 000009
2019536974.tif 000010
2019536974.tif 000011
2019536974.tif 000012